(57)【要約】【課題】筐体内部の温度分布の偏りを抑制できる光走査装置を提供する。【解決手段】光走査装置１Ａは、筐体３７と、ポリゴンミラー３１と、モーター３３とを備える。ポリゴンミラー３１は、筐体３７に設けられ、入射した光を回転しながら反射する。モーター３３は、筐体３７に設けられ、ポリゴンミラー３１を回転させる。筐体３７には、筐体３７の内部を冷却する冷却路４９Ｕが形成される。冷却路４９Ｕは、主走査方向に直交する断面視において、モーター３３の回転軸ＡＸに対して非対称に配置される。【選択図】図４
2015200849.tif 000002
【特許請求の範囲】
【請求項１】
被走査体上で主走査方向に光を走査することによって前記被走査体上に像を形成する光走査装置であって、
筐体と、
前記筐体に設けられ、入射した光を回転しながら反射するポリゴンミラーと、
前記筐体に設けられ、前記ポリゴンミラーを回転させるモーターと
を備え、
前記筐体には、前記筐体の内部を冷却する冷却路が形成され、
前記冷却路は、前記主走査方向に直交する断面視において、前記モーターの回転軸に対して非対称に配置される、光走査装置。
【請求項２】
前記冷却路は、前記モーターの回転方向に基づいて定められた位置に配置される、請求項１に記載の光走査装置。
【請求項３】
前記ポリゴンミラーに光を照射する第１光学系と、
前記ポリゴンミラーに光を照射する第２光学系と
をさらに備え、
前記第１光学系と前記第２光学系とは前記モーターの前記回転軸に対して対称に配置され、
前記モーターは、前記ポリゴンミラーの反射面のうち前記第１光学系に対向する反射面が最短で前記第２光学系に対向するように前記ポリゴンミラーを回転させ、
前記冷却路は、前記第１光学系よりも前記第２光学系に近い位置に配置される、請求項２に記載の光走査装置。
【請求項４】
前記第２光学系は、前記第１光学系よりもシートの搬送路から離れた位置に配置され、
加熱処理を受けることによって画像の定着された前記シートが、前記搬送路を搬送される、請求項３に記載の光走査装置。
【請求項５】
前記筐体の内部空間は、少なくとも第１空間と第２空間とに仕切られ、
前記モーターは、前記第１空間に配置され、
前記筐体は、前記第１空間を覆うカバーを含み、
前記冷却路は、前記カバーに形成され、前記主走査方向に沿って延びる、請求項１から請求項４のいずれか１項に記載の光走査装置。
【請求項６】
請求項１から請求項５のいずれか１項に記載の光走査装置と、
前記光走査装置によって前記被走査体上に形成された前記像に基づいて、シートに画像を形成する画像形成部と
を備える、画像形成装置。
【発明の詳細な説明】
【技術分野】
【０００１】
本発明は、光走査装置及び画像形成装置に関する。
【背景技術】
【０００２】
特許文献１に記載された画像形成装置は、４色に対応する４個の感光体ドラムによってシートにカラー画像を形成する。画像形成装置は、光学設計の容易化及びコストの低減を図るため、４個の感光体ドラムに対して２個のレーザースキャニングユニット（ＬＳＵ）を備える。従って、２個の感光体ドラムに対して１個のＬＳＵが割り当てられる。ＬＳＵの各々は、１個のポリゴンミラーと１個のモーターとを備える。ＬＳＵの各々は、１個のポリゴンミラーをモーターによって回転させ、２個の感光体ドラム上でレーザー光を走査し、２個の感光体ドラムの各々に静電潜像を形成する。
【０００３】
モーターは、駆動されることによって熱を発生するため、ＬＳＵの筐体内部の温度が上昇し、光学部品及び周辺部材が熱変形を起こす可能性がある。従って、４個の感光体ドラムに形成された４個の静電潜像に基づく４色のトナー像がずれて重畳される可能性がある。つまり、画像の色ずれが発生する可能性がある。
【０００４】
特に、１個のポリゴンミラーによって２個の感光体ドラム上で光を走査する場合は、２個の感光体ドラムのうちの一方に対する走査方向と他方に対する走査方向とは逆向きになる。従って、色のずれる方向が逆向きになるため、色のずれる方向が同じ向きである場合と比較して、画像の色ずれが大きくなる。
【０００５】
そこで、ＬＳＵは、モーターの上下に冷却路を有し、筐体内部の温度上昇を抑制する。その結果、画像の各色のずれ量を抑制できる。冷却路は、断面視において、モーターの回転軸に対して対称に配置される。
【先行技術文献】
【特許文献】
【０００６】
【特許文献１】特開２０１１−１３７９４１号公報
【発明の概要】
【発明が解決しようとする課題】
【０００７】
しかしながら、筐体内部では、モーターを中心に均一に温度分布が形成されず、モーターの回転方向に依存して温度分布が偏る。冷却路がモーターの回転軸に対して対称に配置される場合、温度分布の偏りを抑制できないため、画像の色ごとのずれ量が不均一になる可能性がある。つまり、画像の色ずれが大きくなる。
【０００８】
本発明は上記課題に鑑みてなされたものであり、その目的は、筐体内部の温度分布の偏りを抑制できる光走査装置及び画像形成装置を提供することにある。
【課題を解決するための手段】
【０００９】
本発明の第１の観点に係る光走査装置は、被走査体上で主走査方向に光を走査することによって前記被走査体上に像を形成する。光走査装置は、筐体と、ポリゴンミラーと、モーターとを備える。ポリゴンミラーは、前記筐体に設けられ、入射した光を回転しながら反射する。モーターは、前記筐体に設けられ、前記ポリゴンミラーを回転させる。前記筐体には、前記筐体の内部を冷却する冷却路が形成される。前記冷却路は、前記主走査方向に直交する断面視において、前記モーターの回転軸に対して非対称に配置される。
【００１０】
本発明の第２の観点に係る画像形成装置は、上記第１の観点に係る光走査装置と、画像形成部とを備える。画像形成部は、前記光走査装置によって前記被走査体上に形成された前記像に基づいて、シートに画像を形成する。
【発明の効果】
【００１１】
本発明によれば、冷却路がモーターの回転軸に対して非対称に配置される。その結果、モーターの回転に起因する筐体内部の温度分布の偏りを抑制できる。
【図面の簡単な説明】
【００１２】
【図１】本発明の実施形態に係る画像形成装置の内部構造を示す断面図である。
【図２】本発明の実施形態に係るレーザースキャニングユニットの内部構造を示す平面図である。
【図３】本発明の実施形態に係るレーザースキャニングユニットを示す平面図である。
【図４】本発明の実施形態に係るレーザースキャニングユニットを示す断面図である。
【図５】本発明の実施形態に係るレーザースキャニングユニットの配置を示す図である。
【発明を実施するための形態】
【００１３】
以下、本発明の実施形態について、図面を参照しながら説明する。なお、図中、同一又は相当部分については同一の参照符号を付して説明を繰り返さない。
【００１４】
図１は、本発明の実施形態に係る画像形成装置１００の内部構造を示す断面図である。画像形成装置１００は、本実施形態ではプリンターである。画像形成装置１００は、給送部１０、搬送部１５、画像形成部２０、書込み部３０、定着部７０、及び排出部８０を備える。搬送部１５は搬送路１５Ａ及び逆搬送路１５Ｂを含む。
【００１５】
給送部１０は、カセット１２を含み、カセット１２に収容されたシートを搬送路１５Ａへ給送する。搬送部１５は、搬送路１５Ａを経由して画像形成部２０にシートを搬送する。
【００１６】
画像形成部２０は、感光体ドラム２１ＢＫ（被走査体）、感光体ドラム２１Ｙ（被走査体）、感光体ドラム２１Ｃ（被走査体）、及び感光体ドラム２１Ｍ（被走査体）、並びにユニット２０ＢＫ、ユニット２０Ｙ、ユニット２０Ｃ、及びユニット２０Ｍを含む。ユニット２０ＢＫ〜ユニット２０Ｍの各々は、帯電器、現像器、除電器、及びクリーナーを含む。ユニット２０ＢＫ〜ユニット２０Ｍの帯電器は、それぞれ、感光体ドラム２１ＢＫ〜感光体ドラム２１Ｍを帯電状態にする。
【００１７】
書込み部３０は、本発明の実施形態に係るレーザースキャニングユニット１Ａ（光走査装置）（以下、「ＬＳＵ１Ａ」と記載する。）及びレーザースキャニングユニット１Ｂ（光走査装置）（以下、「ＬＳＵ１Ｂ」と記載する。）を含む。ＬＳＵ１Ａは感光体ドラム２１ＢＫ及び感光体ドラム２１Ｙに対応して配置され、ＬＳＵ１Ｂは感光体ドラム２１Ｃ及び感光体ドラム２１Ｍに対応して配置される。
【００１８】
ＬＳＵ１Ａは、帯電状態の感光体ドラム２１ＢＫ上で主走査方向にレーザー光（光）を走査することによって感光体ドラム２１ＢＫ上に静電潜像（像）を形成する。ＬＳＵ１Ａは、帯電状態の感光体ドラム２１Ｙ上で主走査方向にレーザー光（光）を走査することによって感光体ドラム２１Ｙ上に静電潜像（像）を形成する。
【００１９】
ＬＳＵ１Ｂは、帯電状態の感光体ドラム２１Ｃ上で主走査方向にレーザー光（光）を走査することによって感光体ドラム２１Ｃ上に静電潜像（像）を形成する。ＬＳＵ１Ｂは、帯電状態の感光体ドラム２１Ｍ上で主走査方向にレーザー光（光）を走査することによって感光体ドラム２１Ｍ上に静電潜像（像）を形成する。
【００２０】
感光体ドラム２１ＢＫ〜感光体ドラム２１Ｍに対する主走査方向は、それぞれ、感光体ドラム２１ＢＫ〜感光体ドラム２１Ｍの回転軸に平行である。
【００２１】
ユニット２０ＢＫ、ユニット２０Ｙ、ユニット２０Ｃ、及びユニット２０Ｍの現像器は、それぞれ、感光体ドラム２１ＢＫ、感光体ドラム２１Ｙ、感光体ドラム２１Ｃ、及び感光体ドラム２１Ｍの周面に形成された静電潜像を現像して、感光体ドラム２１ＢＫ、感光体ドラム２１Ｙ、感光体ドラム２１Ｃ、及び感光体ドラム２１Ｍの周面にブラック色、イエロー色、シアン色、及びマゼンダ色のトナー像を形成する。
【００２２】
画像形成部２０は一次転写ベルト２４及び二次転写ローラー２３をさらに含む。一次転写ベルト２４には、感光体ドラム２１ＢＫ〜感光体ドラム２１Ｍに形成されたトナー像が重畳して転写され、カラーの画像が形成される。二次転写ローラー２３は、一次転写ベルト２４との間にシートを挟み込んで、一次転写ベルト２４に形成された画像をシートに転写する。
【００２３】
以上、画像形成部２０は、ＬＳＵ１Ａ及びＬＳＵ１Ｂによって感光体ドラム２１ＢＫ〜感光体ドラム２１Ｍ上に形成された静電潜像に基づいて、シートに画像を形成する。
【００２４】
搬送部１５は、画像が形成されたシートを搬送路１５Ａを経由して定着部７０に搬送する。定着部７０は、シートを加熱及び加圧して、画像をシートに定着させる。搬送部１５は、画像が定着されたシートを排出部８０に搬送する。排出部８０は排出トレイにシートを排出する。
【００２５】
シートの両面に画像を形成する場合は、排出部８０は、シートの一方面に画像が形成されたシートを搬送路１４Ａに戻し、さらに、搬送路１５Ａの下流端から上流端まで逆搬送路１５Ｂを経由してシートを搬送する。さらに、搬送部１５は、搬送路１５Ａを経由して、画像形成部２０にシートを搬送する。画像形成部２０は、シートの他方面に画像を形成する。両面に画像が形成されたシートは、搬送路１５Ａを経由して定着部７０及び排出部８０に搬送され、排出トレイに排出される。
【００２６】
以下、図１〜図４を参照して、ＬＳＵ１Ａ及びＬＳＵ１Ｂの詳細を説明する。なお、ＬＳＵ１Ｂの構成は、ＬＳＵ１Ａの構成と同じであるため、説明を省略する。つまり、ＬＳＵ１Ｂについては、ＬＳＵ１Ａの説明において、ＬＳＵ１ＡをＬＳＵ１Ｂと読み替え、感光体ドラム２１ＢＫを感光体ドラム２１Ｃと読み替え、感光体ドラム２１Ｙを感光体ドラム２１Ｍと読み替える。
【００２７】
図１に示すように、ＬＳＵ１Ａは、筐体３７と、ポリゴンミラー３１と、モーター３３と、出射光学系３５Ａと、出射光学系３５Ｂとを備える。ポリゴンミラー３１は、筐体３７に設けられ、回転しながらレーザー光（光）を反射する。モーター３３は、筐体３７に設けられ、ポリゴンミラー３１を回転させる。
【００２８】
出射光学系３５Ａ及び出射光学系３５Ｂは、筐体３７に設けられ、それぞれ、ポリゴンミラー３１が反射したレーザー光を感光体ドラム２１ＢＫ及び感光体ドラム２１Ｙに出射する。
【００２９】
図２は、ＬＳＵ１Ａの内部構造を示す平面図である。筐体３７はベース部３７Ｍを含む。ベース部３７Ｍの略中央領域には、ポリゴンミラー３１及びモーター３３が配置される。ポリゴンミラー３１を挟むように、２個のｆθレンズ４７がベース部３７Ｍに配置される。２個のｆθレンズ４７のうちの一方及び他方は、それぞれ、出射光学系３５Ａの一部及び出射光学系３５Ｂの一部を構成する。
【００３０】
ＬＳＵ１Ａは、入射光学系３９Ａ（第１光学系）及び入射光学系３９Ｂ（第２光学系）をさらに備える。入射光学系３９Ａと入射光学系３９Ｂとは、モーター３３の回転軸ＡＸに対して対称にベース部３７Ｍに配置される。入射光学系３９Ａは出射光学系３５Ａのｆθレンズ４７に対応して配置され、入射光学系３９Ｂは出射光学系３５Ｂのｆθレンズ４７に対応して配置される。入射光学系３９Ａ及び入射光学系３９Ｂの各々は、ポリゴンミラー３１にレーザー光を照射する。
【００３１】
具体的には、入射光学系３９Ａ及び入射光学系３９Ｂの各々は、レーザーダイオード４１、コリメーターレンズ４３、及びシリンドリカルレンズ４５を含む。レーザーダイオード４１はレーザー光を出射する。コリメーターレンズ４３は、レーザーダイオード４１が出射したレーザー光を平行光にする。シリンドリカルレンズ４５は、コリメーターレンズ４３から入射された平行光をポリゴンミラー３１上で線状に結像させる。
【００３２】
ポリゴンミラー３１は回転方向Ｒ１に回転する。具体的には、モーター３３は、ポリゴンミラー３１の反射面のうち入射光学系３９Ａのシリンドリカルレンズ４５に対向する反射面が最短で入射光学系３９Ｂのシリンドリカルレンズ４５に対向するようにポリゴンミラー３１を回転させる。
【００３３】
ポリゴンミラー３１は、入射光学系３９Ａから入射されたレーザー光を偏向し、出射光学系３５Ａのｆθレンズ４７に出射する。そして、ｆθレンズ４７は、偏向されたレーザー光の感光体ドラム２１ＢＫ上での走査速度を一定化する。同時に、ポリゴンミラー３１は、入射光学系３９Ｂから入射されたレーザー光を偏向し、出射光学系３５Ｂのｆθレンズ４７に出射する。そして、ｆθレンズ４７は、偏向されたレーザー光の感光体ドラム２１Ｙ上での走査速度を一定化する。
【００３４】
ポリゴンミラー３１にはモーター３３の回転軸ＡＸが固定される。従って、モーター３３が回転方向Ｒ１に回転すると、ポリゴンミラー３１は回転方向Ｒ１に回転する。出射光学系３５Ａのｆθレンズ４７から出射されたレーザー光の感光体ドラム２１ＢＫ上での主走査方向は第１方向Ｓ１である。一方、出射光学系３５Ｂのｆθレンズ４７から出射されたレーザー光の感光体ドラム２１Ｙ上での主走査方向は第１方向Ｓ１と反対の第２方向Ｓ２である。なお、第１方向Ｓ１及び第２方向Ｓ１を総称して主走査方向と記載する。
【００３５】
筐体３７の内部の温度分布について説明する。温度分布はモーター３３の回転方向に依存する。具体的には、モーター３３が回転方向Ｒ１に回転する場合、入射光学系３９Ｂの配置される領域の温度は入射光学系３９Ａの配置される領域の温度よりも高くなる傾向にある。つまり、入射光学系３９Ｂの配置される領域は、ポリゴンミラー３１が回転することにより、入射光学系３９Ａの配置される領域よりも高温になる。
【００３６】
そこで、入射光学系３９Ａが配置される領域と入射光学系３９Ｂが配置される領域との温度差を抑制するために、図３及び図４に示すように、ＬＳＵ１Ａは、モーター３３の回転軸ＡＸに対して非対称に配置される冷却路４９Ｕを有する。つまり、筐体３７には、筐体３７の内部を冷却する冷却路４９Ｕが形成される。
【００３７】
図３は、ＬＳＵ１Ａを示す平面図である。ＬＳＵ１Ａはファン５０をさらに備える。筐体３７は上蓋３７Ｕ（カバー）をさらに含む。上蓋３７Ｕの下面には冷却路４９Ｕが形成される。冷却路４９Ｕは、主走査方向に沿って延びる。ファン５０は、冷却路４９Ｕの一方端に対向して配置され、冷却路４９Ｕに空気を送り込む。
【００３８】
冷却路４９Ｕは、入射光学系３９Ａよりも入射光学系３９Ｂに近い位置に配置される。つまり、冷却路４９Ｕは、温度が高くなり易い領域の近くに配置される。従って、入射光学系３９Ａ及び入射光学系３９Ｂが配置される領域の温度分布の偏りを抑制できる。また、冷却路４９Ｕは、筐体３７の内部の温度の上昇を抑制する。
【００３９】
図４は、図３のＩＶ−ＩＶ線に沿った断面図である。上蓋３７Ｕはベース部３７Ｍを上方から覆う。筐体３７は下蓋３７Ｌをさらに含む。下蓋３７Ｌはベース部３７Ｍを下方から覆う。従って、筐体３７の内部空間は、少なくとも第１空間５９Ｕと第２空間５９Ｌとに仕切られる。つまり、上蓋３７Ｕは第１空間５９Ｕを覆い、下蓋３７Ｌは第２空間５９Ｌを覆う。
【００４０】
モーター３３は、ベース部３７Ｍの上面に固定され、第１空間５９Ｕに配置される。冷却路４９Ｕは、主走査方向に直交する断面視において、モーター３３の回転軸ＡＸ（軸線６１）に対して非対称に配置される。
【００４１】
筐体３７には冷却路４９Ｌが形成される。冷却路４９Ｌは、筐体３７の内部の温度の上昇を抑制する。冷却路４９Ｌは、ベース部３７Ｍの下面と下蓋３７Ｌとによって形成され、主走査方向に沿って延びる。冷却路４９Ｌは回転軸ＡＸ（軸線６１）に対して対称に配置される。ファン５０（図３参照）は、冷却路４９Ｌに空気を送り込む。冷却路４９Ｕと冷却路４９Ｌとでファン５０を共有するため、コストを低減できる。
【００４２】
ＬＳＵ１Ａはヒートシンク５７をさらに備える。ヒートシンク５７は、冷却路４９Ｌに配置され、モーター３３に対向してベース部３７Ｍの下面に固定される。従って、モーター３３の冷却効果を向上できる。
【００４３】
なお、モーター３３は第１空間５９Ｕに配置されるため、第１空間５９Ｕの温度は第２空間５９Ｌの温度よりも上昇し易い。加えて、入射光学系３９Ａ及び入射光学系３９Ｂ（図２参照）は第１空間５９Ｕに配置される。そこで、入射光学系３９Ａ及び入射光学系３９Ｂが配置される領域の温度分布の偏りを効果的に抑制するため、冷却路４９Ｕ及び冷却路４９Ｌのうち冷却路４９Ｕを入射光学系３９Ｂの近くに配置している。
【００４４】
ＬＳＵ１Ａは透明又は半透明な板状の２個の防塵部材５６をさらに備える。防塵部材５６は、主走査方向に沿って延びており、上蓋３７Ｕに形成された開口を覆う。防塵部材５６は、筐体３７の内部に配置された光学部品が粉塵により汚染されることを抑制すると共に、レーザー光の透過を許容する。なお、図３では防塵部材５６を省略している。
【００４５】
ベース部３７Ｍの上面には、出射光学系３５Ａのｆθレンズ４７及び反射ミラー５１と、出射光学系３５Ｂのｆθレンズ４７及び反射ミラー５１とが、回転軸ＡＸ（軸線６１）に対して対称に配置される。ベース部３７Ｍの下面には、出射光学系３５Ａの反射ミラー５３及び反射ミラー５５と、出射光学系３５Ｂの反射ミラー５３及び反射ミラー５５とが、回転軸ＡＸ（軸線６１）に対して対称に配置される。なお、図２では反射ミラー５１〜反射ミラー５５を省略している。
【００４６】
入射光学系３９Ａ及び入射光学系３９Ｂは第１空間５９Ｕに配置される。ポリゴンミラー３１によって反射された入射光学系３９Ａからのレーザー光は、出射光学系３５Ａのｆθレンズ４７及び反射ミラー５１〜反射ミラー５５並びに防塵部材５６を介して、感光体ドラム２１ＢＫ（図１参照）に照射される。ポリゴンミラー３１によって反射された入射光学系３９Ｂからのレーザー光は、出射光学系３５Ｂのｆθレンズ４７及び反射ミラー５１〜反射ミラー５５並びに防塵部材５６を介して、感光体ドラム２１Ｙに照射される。
【００４７】
以上、図３及び図４を参照して説明したように、本実施形態によれば、冷却路４９Ｕがモーター３３の回転軸ＡＸに対して非対称に配置される。従って、温度が高くなり易い入射光学系３９Ｂの近くに冷却路４９Ｕを配置できる。その結果、モーター３３の回転に起因する筐体３７の内部の温度分布の偏りを抑制でき、シートに形成される画像の色ごとのずれ量の不均一を抑制できる。加えて、冷却路４９Ｕ及び冷却路４９Ｌによって、筐体３７の内部の温度上昇が抑制されるため、シートに形成される画像の各色のずれ量を低減できる。
【００４８】
また、本実施形態では、図５に示すように、入射光学系３９Ｂは、入射光学系３９Ａよりも搬送路１５Ａから離れた位置に配置される。図５はＬＳＵ１Ａ及びＬＳＵ１Ｂの配置を示す。シートの両面に画像を形成する場合、定着部７０で加熱されたシートは、逆搬送路１５Ｂを経由して、再び搬送路１５Ａに戻される。つまり、加熱処理を受けて画像が定着されたシートが搬送路１５Ａを搬送される。従って、比較的温度の高いシートが搬送路１５Ａを経由する。
【００４９】
搬送路１５Ａの側方には、ＬＳＵ１Ａが配置され、さらにＬＳＵ１Ａに並んでＬＳＵ１Ｂが配置される。ＬＳＵ１Ａ及びＬＳＵ１Ｂの各々において、入射光学系３９Ｂの配置される領域の温度は、モーター３３の回転方向Ｒ１に依存して、入射光学系３９Ａの配置される領域の温度よりも高くなる傾向がある。
【００５０】
そこで、ＬＳＵ１Ａ及びＬＳＵ１Ｂの各々において、入射光学系３９Ｂは、比較的高い温度のシートが通過する搬送路１５Ａから離れた位置に配置される。従って、入射光学系３９Ａ及び入射光学系３９Ｂが配置される領域の温度分布の偏りが抑制される。加えて、冷却路４９Ｕは、入射光学系３９Ａよりも入射光学系３９Ｂの近くに配置されるため、入射光学系３９Ａ及び入射光学系３９Ｂが配置される領域の温度分布の偏りがさらに抑制される。
【００５１】
以上、図面（図１〜図５）を参照しながら本発明の実施形態について説明した。但し、本発明は、上記の実施形態に限られるものではなく、その要旨を逸脱しない範囲で種々の態様において実施することが可能である（例えば、下記に示す（１）〜（３））。図面は、理解しやすくするために、それぞれの構成要素を主体に模式的に示しており、図示された各構成要素の厚み、長さ、個数等は、図面作成の都合上から実際とは異なる場合もある。また、上記の実施形態で示す各構成要素の形状、寸法等は一例であって、特に限定されるものではなく、本発明の効果から実質的に逸脱しない範囲で種々の変更が可能である。
【００５２】
（１）本実施形態では、図２に示すように、モーター３３は、回転方向Ｒ１に回転したが、回転方向Ｒ１と反対の回転方向Ｒ２に回転してもよい。モーター３３が回転方向Ｒ２に回転すると、入射光学系３９Ａが配置される領域の温度が、入射光学系３９Ｂが配置される領域の温度よりも高くなる。そこで、冷却路４９Ｕは、入射光学系３９Ｂよりも入射光学系３９Ａに近い位置に配置される。つまり、冷却路９Ｕは、モーター３３の回転方向に基づいて定められた位置に配置される。従って、モーター３３の回転方向に依存して温度分布の偏りが変化する場合に、冷却路４９Ｕを効果的に配置して、入射光学系３９Ａ及び入射光学系３９Ｂが配置される領域の温度分布の偏りを効果的に抑制できる。
【００５３】
（２）冷却路４９Ｕの配置を設定した後に、モーター３３の回転方向を設定してもよい。また、モーター３３の回転方向を設定した後に、冷却路４９Ｕの配置を設定してもよい。
【００５４】
（３）本実施形態では、画像形成装置１００は、プリンターであったが、複写機、ファクシミリ、又は複合機であってもよい。複合機は、複写機、プリンター、及びファクシミリのうち少なくとも２つの機器を備える。
【産業上の利用可能性】
【００５５】
本発明は、光走査装置及び光走査装置を搭載する画像形成装置の分野に利用可能である。
【符号の説明】
【００５６】
１Ａ    レーザースキャニングユニット（光走査装置）
１Ｂ    レーザースキャニングユニット（光走査装置）
１５Ａ    搬送路
１５Ｂ    逆搬送路
２０    画像形成部
２１ＢＫ    感光体ドラム（被走査体）
２１Ｙ    感光体ドラム（被走査体）
２１Ｃ    感光体ドラム（被走査体）
２１Ｍ    感光体ドラム（被走査体）
３１    ポリゴンミラー
３３    モーター
３７    筐体
３７Ｕ    上蓋（カバー）
３７Ｍ    ベース部
３７Ｌ    下蓋
３９Ａ    入射光学系（第１光学系）
３９Ｂ    入射光学系（第２光学系）
４９Ｕ    冷却路
５９Ｕ    第１空間
５９Ｌ    第２空間
１００    画像形成装置
ＡＸ    回転軸
Ｒ１    回転方向
Ｒ２    回転方向
Ｓ１    第１方向（主走査方向）
Ｓ２    第２方向（主走査方向）
【図１】
2015200849.tif 000003
【図２】
2015200849.tif 000004
【図３】
2015200849.tif 000005
【図４】
2015200849.tif 000006
【図５】
2015200849.tif 000007